(57)【要約】【課題】二つ折りの前にポケット部の一部を開封することで、内容物に過大な圧力をかけることなく抽出できるようにし、抽出時に内容物が周辺に飛び散る事態の発生がなく、同時に、ポケット部に収納した内容物の密封性を向上させることができる分配包装容器を提供する。【解決手段】容器部材２が中間縁部４とその両側に連成した枠状の周縁部５、５で囲まれた部分にそれぞれポケット部６、６を設け、上記中間縁部４の中央位置に中間縁部４の長さ方向に沿う折り曲げ線７を設けて形成され、直線カット性シートを用いた蓋シート３は、カット方向が中間縁部４の長さ方向に沿う配置で容器部材２上に重ねられ、中間縁部４と周縁部５、５に重なる部分を溶着することによって両側ポケット部６、６の開口面を封止し、この蓋シート３の折り曲げ線７を挟む両側の位置に剥離用の開封線８、８を設け、この開封線８、８とポケット部６、６の関係を、蓋シート３のカット方向に沿う開封線８、８の仮想の延長線がポケット部６、６の一部にラップするように設定している。【選択図】  図１
2004345719.tif 000002
【特許請求の範囲】
【請求項１】
合成樹脂製の容器部材と直線カット性シートを用いた蓋シートからなり、容器部材は、中間縁部とその両側に連成した枠状の周縁部で囲まれた部分にそれぞれポケット部を設け、上記中間縁部の中央位置に中間縁部の長さ方向に沿う折り曲げ線を設けて形成され、上記蓋シートは、カット方向が中間縁部の長さ方向に沿う配置で容器部材上に重ねられ、中間縁部と周縁部に重なる部分を固着することによって両側ポケット部の開口面を封止し、この蓋シートの周縁部で折り曲げ線を挟む両側の位置に剥離用の開封線を設け、この開封線とポケット部の関係が、蓋シートのカット方向に沿う開封線の仮想の延長線がポケット部の一部にラップするような関係に設定されている分配包装容器。
【請求項２】
上記容器部材に設けたポケット部には、中間縁部に臨む位置に中間縁部側へ向けて張り出す突出部が形成され、上記蓋シートのカット方向に沿う開封線の仮想の延長線がこの突出部を通過するように設定されている請求項１に記載の分配包装容器。
【請求項３】
上記蓋シートの周縁部で開封線の間が、容器部材と固着されていない状態の開封用舌片になっている請求項１又は２に記載の分配包装容器。
【発明の詳細な説明】
【０００１】
【発明の属する技術分野】
この発明は、開封後に指先で摘んで二つ折りすることで、種類の異なる内容物を同時に取り出すことができるようにした分配包装容器に関する。
【０００２】
【従来の技術】
従来、二つの分離されたポケット部に種類の異なる内容物を収納し、内容物の取り出し時に、指で摘んで二つ折りにすることにより、種類の異なる内容物を同時に取り出すことができるようにした分配包装容器はすでに提案されている。
【０００３】
従来の分配包装容器は、折り曲げることができる程度の硬質材を用い、その中央部に折り目線が設けられた蓋板と、この蓋板の舌面に重ねて溶着する容器部材とからなり、容器部材は、周縁部と折り目線の両側に位置する中央固着部を蓋板に溶着し、周縁部と中央固着部で囲まれた部分に、折り目線を挟んで両側に対称状の配置で下面側に突出するポケット部を設けて形成され、上記蓋板の折り目線上の位置に、蓋板を折り曲げた時に破壊して各ポケット部と個々に連通する可破断部が設けられている。
【０００４】
このような分配包装容器は、各ポケット部に種類の異なる内容物を収納し、内容物を取り出す時は、指で摘んで蓋板を折り目線に沿って二つ折りにすると、両側のポケット部が互いに圧接して押し縮められることで内圧が発生し、二つ折りによって破壊した可破断部にこの内圧が掛かることで、両可破断部から内容物が同時に抽出されることになる（例えば、特許文献１参照）。
【０００５】
【特許文献１】
実公平３−１４１９号公報（図１、図２）
【０００６】
【発明が解決しようとする課題】
ところで、上記のような分配包装容器は、二つ折りによってポケット部が互いに圧接して発生する内圧で可破断部を破壊させるため、内容物は可破断部から勢いよく抽出されることになり、このため、最初の抽出時に内容物が周辺に飛び散る事態が発生し、周辺や衣類を汚すという不都合がある。
【０００７】
また、容器部材を密閉する蓋板の可破断部は、破壊時にポケット部と連通可能な位置に設けられ、この可破断部がミシン目や切り込み線で形成されるため、ポケット部に収納した内容物の密封性が低下するという危険性がある。
【０００８】
そこで、この発明の課題は、二つ折りの前にポケット部の一部を開封することで内容物に過大な圧力をかけることなく抽出できるようにし、最初の抽出時に内容物が周辺に飛び散る事態の発生をなくすことができると同時に、ポケット部に収納した内容物の密封性を向上させることができる分配包装容器を提供することにある。
【０００９】
【課題を解決するための手段】
上記のような課題を解決するため、この発明は、合成樹脂製の容器部材と直線カット性シートを用いた蓋シートからなり、容器部材は、中間縁部とその両側に連成した枠状の周縁部で囲まれた部分にそれぞれポケット部を設け、上記中間縁部の中央位置に中間縁部の長さ方向に沿う折り曲げ線を設けて形成され、上記蓋シートは、カット方向が中間縁部の長さ方向に沿う配置で容器部材上に重ねられ、中間縁部と周縁部に重なる部分を固着することによって両側ポケット部の開口面を封止し、この蓋シートの周縁部で折り曲げ線を挟む両側の位置に剥離用の開封線を設け、この開封線とポケット部の関係が、蓋シートのカット方向に沿う開封線の仮想の延長線がポケット部の一部にラップするような関係に設定されている構成を採用したものである。
【００１０】
上記容器部材に設けたポケット部には、中間縁部に臨む位置に中間縁部側へ向けて張り出す突出部が形成され、上記蓋シートのカット方向に沿う開封線の仮想の延長線がこの突出部を通過するように設定されているようにしたり、上記蓋シートの周縁部で開封線の間が、容器部材と固着されていない状態の開封用舌片になっている構造とすることができる。
【００１１】
ここで、容器部材は、折り曲げ可能な可撓性のある合成樹脂を用い、中間縁部と周縁部及びポケット部を同一材料から一体に形成し、中間縁部の長さ方向に沿う折り曲げ線は、切り込み線やミシン目により形成し、使用する合成樹脂はポケット部に収納する内容物の材質に合わせて選択すればよい。
【００１２】
また、蓋シートに用いる合成樹脂の易開封性シートである直線カット性シートとしては、一軸延伸シートを用い、そのカット方向に沿う開封線は、折り曲げ線を挟む両側対称の位置に、ポケット部に達しないような切り込み線やミシン目を施すことによって形成され、この開封線は蓋シートの両側に設けることもできる。
【００１３】
また、開封用舌片は、容器部材における中間縁部の両端部に切り欠きを設け、蓋シートの上記切り欠き上に位置する開封線間の部分が容器部材と固着されていないようにしたり、蓋シートの周縁で開封線間の部分に容器部材の外部に突出する舌片を設けて形成することができる。
【００１４】
【発明の実施の形態】
以下、この発明の実施の形態を図示例と共に説明する。
【００１５】
図示のように、分配包装容器１は、合成樹脂製の容器部材２と、この容器部材２に溶着した蓋シート３からなり、上記容器部材２は、所定の幅を有する中間縁部４と、その両側に連成した枠状の周縁部５、５と、中間縁部４と周縁部５、５で囲まれた部分に設けた二つのポケット部６、６とで形成され、上記中間縁部４と周縁部５、５及びポケット部６、６は、一枚のシート状となる材料からポケット部６、６を加熱加圧によって成形することによって一体に形成し、上記中間縁部４と周縁部５、５は同一平面のフラットな状態となり、両ポケット部６、６は、中間縁部４と周縁部５、５で囲まれた上面部分が開口し、下面側へ両側対称状の配置で突出している。
【００１６】
上記中間縁部４の中央位置には、中間縁部４の長さ方向に沿う折り曲げ線７が全長にわたって設けられている。この折り曲げ線７は切り込み線やミシン目により形成することができる。
【００１７】
また、上記容器部材２の形成に用いる合成樹脂は、保形性があって折り曲げ可能な可撓性を有するものを使用し、具体的な合成樹脂の種類はポケット部６、６に収納する内容物ａとｂの材質に合わせて選択すればよい。
【００１８】
上記蓋シート３は、易開封性シートである直線カット性シートを用い、容器部材２の周縁部５、５の外周に適合する平面的な大きさを有し、容器部材２の周縁部５、５上に周囲を重ね、周縁部５、５及び中間縁部４との重なり面を溶着することにより、両ポケット部６、６の上面開口を閉鎖することで両ポケット部６、６内に収納した内容物ａとｂを封止することになる。
【００１９】
この蓋シート３に用いる直線カット性シートは、一軸延伸シートを用い、そのカット方向が中間縁部４の長さ方向に沿う配置で容器部材２上に重ねて溶着し、この蓋シート３の周縁部５、５で上記折り曲げ線７を挟む両側等距離の位置に剥離用の開封線８、８が設けられている。
【００２０】
この開封線８、８は、折り曲げ線７を挟む両側対称の位置に、ポケット部６、６に達しないような切り込み線やミシン目を施すことによって形成され、上記蓋シート３の周縁部で両開封線８、８の間が、容器部材２と固着されていない状態の開封用舌片９になっている。
【００２１】
上記蓋シート３に用いる一軸延伸シートの合成樹脂の種類は、ポケット部６、６に収納する内容物ａとｂの材質に合わせて選択すればよく、一軸延伸シートはその材質によって、延伸方向とカット方向が直角の関係にあるものと、延伸方向にカット方向が一致するものとがあるが、何れの場合においても、カット方向が容器部材２の中間縁部４の長さ方向に沿う配置となるようにして容器部材２に溶着する。
【００２２】
なお、二軸延伸シートにおいても、種類によっては直線カット性を有するものがあり、従って、蓋シート３として二軸延伸シートの採用も可能である。
【００２３】
また、開封用舌片９は、容器部材２における中間縁部４の端部に切り欠き１０を設け、蓋シート３の上記切り欠き１０上に位置する開封線８、８間の部分が容器部材２と固着されていないようにしたり、蓋シート３の周縁で開封線８、８間の部分に容器部材２の外部に突出する舌片を設けて形成することができる。
【００２４】
上記容器部材２に設けたポケット部６、６と、蓋シート３に設けた開封線８、８との関係が、蓋シート３のカット方向に沿う開封線８、８の仮想の延長線がポケット部６、６の一部にラップするような関係に設定されている。
【００２５】
具体的には、容器部材２の両ポケット部６、６に、中間縁部４側へ向けて張り出す突出部１１、１１を形成し、上記蓋シート３のカット方向に沿う開封線８、８の仮想の延長線がこの突出部１１、１１を通過するように設定している。
【００２６】
なお、図示の場合、上記開封線８、８は蓋シート３の両側に設けた例を示していると共に、開封用舌片９も蓋シート３の両側に設けるようにしてもよい。
【００２７】
ここで、本体となる容器部材２の材質の一例としては、ＰＥ／ＥＶＯＨ（エチレンビニルアルコール共重合樹脂）／ＰＰや、ＰＰ／ＥＶＯＨ／ＰＰのようなラミネート材を挙げることができる。
【００２８】
また、蓋シート３の材質としては、ホットメルト／一軸延伸ＮＹ／蒸着アルミニウムからなるものや、ホットメルト／一軸延伸ＮＹ／蒸着アルミニウム／一軸延伸ＮＹからなるものを例示することができる。
【００２９】
この発明の分配包装容器は、上記のような構成であり、容器部材２の両ポケット部６、６に異なる種類の内容物ａ、ｂを収納し、容器部材２上に重ねた蓋シート３を周縁部５、５及び中間縁部４に溶着することにより、両ポケット部６、６の上面開口を閉鎖することで両ポケット部６、６内に収納した内容物ａ、ｂを封止することになる。
【００３０】
なお、両ポケット部６、６に収納する内容物ａ、ｂとしては、ケチャップとマスタード、バターと蜂蜜、バターとジャムのような調味料や飲料等の飲食品、化粧品や毛染めのような二液性の薬品等の、液状、ペースト状、粉状、顆粒状、粒状の物を挙げることができる。
【００３１】
上記両ポケット部６、６に収納した内容物ａ、ｂを取り出すには、先ず、蓋シート３の開封用舌片９を指先で摘まみ、この開封用舌片９を蓋シート３の上面側に引き上げて中間縁部４から引き剥がすようにすると、両側の開封線８、８が切り開かれ、蓋シート３はこの両側開封線８、８の先端からその延長線上に沿ってカットされる。
【００３２】
蓋シート３は、直線カット性を有するので、開封線８、８の先端から始まるカットラインは、開封線８、８の延長方向へ直線的に進むことになり、この開封線８、８とポケット部６、６の関係が、蓋シート３のカット方向に沿う開封線８、８の仮想の延長線がポケット部６、６の突出部１１、１１にラップするような関係に設定されているので、図１（Ａ）のように、蓋シート３の開封線８、８の間を引き剥がすと、この引き剥がした領域が両ポケット部６、６の突出部１１、１１上を通過することで、両ポケット部６、６の突出部１１、１１が開封されることになる。
【００３３】
上記のようにして、蓋シート３の開封線８、８の間の全長を引き剥がすと、次に、図２のように、容器部材２を両ポケット部６、６が上になるようにして両周縁部５、５の両端間を指先で挟み、容器部材２を折り曲げ線７の部分で二つ折りにすると、両ポケット部６、６が互いに圧接することで押され、その内部の内容物ａ、ｂが両ポケット部６、６の突出部１１、１１から同時に押し出されることになり、両ポケット部６、６の全体が押し潰される程度にまで容器部材２を折り曲げることで、両ポケット部６、６の内容物ａ、ｂの全量を取り出すことができる。
【００３４】
上記両ポケット部６、６の内容物ａ、ｂの取り出し時において、最初に蓋シート３の開封線８、８の間を引き剥がして両ポケット部６、６の突出部１１、１１を開封するので、容器部材２を二つ折りにする前に予め両ポケット部６、６の突出部１１、１１が開口することになり、このため、二つ折りにした時に両ポケット部６、６に過度の内圧がかかることがなく、二つ折りによって両ポケット部６、６の突出部１１、１１から内容物ａ、ｂを取り出す時、圧力のかかった内容物ａ、ｂが勢い良く飛び出るというようなことがないので、飛び散った内容物ａ、ｂで周辺や衣服を汚すようなことがない。
【００３５】
【発明の効果】
以上のように、この発明によると、中間縁部とその両側に連成した枠状の周縁部で囲まれた部分にそれぞれポケット部を設け、上記中間縁部の中央位置に中間縁部の長さ方向に沿う折り曲げ線を設けて容器部材を形成し、この容器部材に固着して両側ポケット部の開口面を封止する蓋シートに直線カット性シートを用い、この蓋シートをカット方向が中間縁部の長さ方向に沿う配置で容器部材上に固着され、この蓋シートの周縁部で折り曲げ線を挟む両側の位置に剥離用の開封線を設け、この開封線とポケット部の関係を、蓋シートのカット方向に沿う開封線の仮想の延長線がポケット部の一部にラップするように設定したので、蓋シートの開封線の間を引き剥がすことで、容器部材を二つ折りにする前に両ポケット部の一部を予め開口させることができ、従って、容器部材の二つ折りによって両ポケット部から内容物を取り出す時、最初の抽出時に両ポケット部の内部に過度の内圧をかけることがなく、圧力のかかった内容物が勢い良く飛び出るというようなことがないので、飛び散った内容物で周辺や衣服を汚すような事態を防ぐことができる。
【００３６】
また、蓋シートに直線カット性シートを用いたので、開封線の間を引き剥がした時の蓋シートのカットラインは、正確な直線状となるので、両ポケット部の一部開封が失敗なく確実に行えることになる。
【００３７】
更に、蓋シートの開封線は、両ポケット部に達しない位置に設けられているので、開封線を設けることによる両ポケット部の内部に対するシール性の低下発生がなく、両ポケット部の内容物の密封収納が可能になり、内容物の劣化を防ぐことができる。
【図面の簡単な説明】
【図１】（Ａ）はこの発明に係る分配包装容器の蓋シートを一部開封した状態を示す斜視図、（Ｂ）は分配包装容器の平面図、（Ｃ）は（Ｂ）の矢印ｃ−ｃに沿う縦断面図
【図２】（Ａ）はこの発明に係る分配包装容器を二つ折りして内容物を抽出している状態の一部切り欠き正面図、（Ｂ）は同分配包装容器を指先で保持して二つ折りにしている状態の説明図
【符号の説明】
１    分配包装容器
２    容器部材
３    蓋シート
４    中間縁部
５    周縁部
６    ポケット部
７    折り曲げ線
８    開封線
９    開封用舌片
１０  切り欠き
１１  突出部
【図１】
2004345719.tif 000003
【図２】
2004345719.tif 000004